(57)【要約】【課題】簡易な構造で、取り扱いも容易で、リアルな練習を可能として、正しい乳房マッサージを容易に習得することのできる乳房マッサージ練習具の提供。【解決手段】台座２と乳房部３と乳首部４とを備える。台座２は、内部に水が入れられるタンク１１を備える。乳房部３は、台座２表面から略半球状に膨出して設けられ、内部にスポンジ６が入れられることで、押しつぶしても元の状態に復元する。乳首部４は、先端部が、乳房部３の外方へ突出して設けられる一方、基端部が、タンク１１とチューブ１７を介して接続されている。乳首部４は、押しつぶしても元の状態に復元し、押しつぶした際にはチューブ１７からの水を外方へ放出可能とされる一方、復元する際にはチューブ１７からの水を先端側へ吸引する。【選択図】      図２
2004191788.tif 000002
【特許請求の範囲】
【請求項１】
乳房マッサージを練習するための乳房マッサージ練習具であって、
内部に水が入れられるタンクを備えた台座と、
台座の表面から略半球状に膨出して設けられ、押しつぶしても元の状態に復元する弾力性を有する左右一対の乳房部と、
乳房部の先端部から外方へ突出して設けられ、チューブを介して前記タンクと接続され、押しつぶしても元の状態に復元する弾力性を有し、押しつぶした際にはチューブからの水を先端部から外方へ放出可能とされた乳首部と
を備えることを特徴とする乳房マッサージ練習具。
【請求項２】
女性の胸部のような形状とされ、乳房マッサージを練習するための乳房マッサージ練習具であって、
内部に水が入れられるタンクを備えた台座と、
台座の表面から略半球状に膨出して設けられ、内部にスポンジが入れられることで、押しつぶしても元の状態に復元する弾力性を有する左右一対の乳房部と、
先端部が、乳房部の先端部から外方へ突出して設けられる一方、基端部が、前記スポンジを貫通して前記タンクとチューブを介して接続されており、突出先端部は、押しつぶしても元の状態に復元する弾力性を有し、押しつぶした際にはチューブからの水を先端部から外方へ放出可能とされる一方、復元する際にはチューブからの水を先端側へ吸引可能とされ、ほ乳瓶の口の先端部のような形状に形成された乳首部と
を備えることを特徴とする乳房マッサージ練習具。
【発明の詳細な説明】
【０００１】
【発明の属する技術分野】
本発明は、産後の女性に施される乳房（ニュウボウ）マッサージを練習するのに利用される「乳房マッサージ練習具」に関するものである。
【０００２】
【従来の技術】
出産後の女性に対し、その乳房をマッサージして乳腺を開き、母乳をしっかり搾ることで母乳の出を良くすることが助産婦やマッサージ師などによって行われている。この乳房マッサージを練習するためには、従来は、ゴムのような弾性部材で形成された胸の模型が使用されていた。これは、産後の人は、身体が弱っているので、練習用のモデルにすることができなかったからである。
【０００３】
しかしながら、従来のような模型を使用した練習では、乳房から実際に母乳が出ないので、臨場感に欠けるだけでなく、適切なマッサージがなされているか否かの判断が難しく、適切なマッサージの習得が難しかった。このような事態は、マッサージを練習する者のみならず、それを教える側や、マッサージを受ける産後の女性にとっても不都合であった。
【０００４】
このような事態を解決するために、本件発明者は、先に下記特許文献１に記載の乳房マッサージ練習具を提案している。
【０００５】
【特許文献１】
特開２００２−４９３０６号公報
【０００６】
【発明が解決しようとする課題】
しかしながら、より簡易な構造で、取り扱いも容易で、よりリアルな練習を可能として、正しい乳房マッサージを容易に習得することのできる乳房マッサージ練習具の実現を目的として、本件発明者は上記特許出願後も試作、研究を行ってきた。そして、今般、そのような乳房マッサージ練習具の試作を完成したので、本件特許出願に及んだものである。
【０００７】
【課題を解決するための手段】
本発明は、乳房マッサージを練習するための乳房マッサージ練習具であって、下記（Ａ）から（Ｃ）の構成要件を備えることを特徴とする。
（Ａ）内部に水が入れられるタンクを備えた台座。
（Ｂ）台座の表面から略半球状に膨出して設けられ、押しつぶしても元の状態に復元する弾力性を有する左右一対の乳房部。
（Ｃ）乳房部の先端部から外方へ突出して設けられ、チューブを介して前記タンクと接続され、押しつぶしても元の状態に復元する弾力性を有し、押しつぶした際にはチューブからの水を先端部から外方へ放出可能とされた乳首部。
【０００８】
また、本発明は、女性の胸部のような形状とされ、乳房マッサージを練習するための乳房マッサージ練習具であって、下記（Ａ）から（Ｃ）の構成要件を備えることを特徴とする。
（Ａ）内部に水が入れられるタンクを備えた台座。
（Ｂ）台座の表面から略半球状に膨出して設けられ、内部にスポンジが入れられることで、押しつぶしても元の状態に復元する弾力性を有する左右一対の乳房部。
（Ｃ）先端部が、乳房部の先端部から外方へ突出して設けられる一方、基端部が、前記スポンジを貫通して前記タンクとチューブを介して接続されており、突出先端部は、押しつぶしても元の状態に復元する弾力性を有し、押しつぶした際にはチューブからの水を先端部から外方へ放出可能とされる一方、復元する際にはチューブからの水を先端側へ吸引可能とされ、ほ乳瓶の口の先端部のような形状に形成された乳首部。
【０００９】
【発明の実施の形態】
以下、本発明の乳房マッサージ練習具について、実施例に基づき更に詳細に説明する。
【００１０】
図１から図４は、本発明の乳房マッサージ練習具１の一実施例を示す図であり、図１は、使用状態を示す斜視図、図２は、図１のＸ線部分における縦断面図、図３は、底面図であり一部を切り欠いて示しており、図４は、図１のＹ−Ｙ線における縦断面図である。
【００１１】
図１に示すように、本実施例の乳房マッサージ練習具１は、長方形状の台座２の上面に、略半球状の一対の乳房部３，３が膨出して設けられ、各乳房部３の頂部に乳首部４が突出して設けられている。これにより、乳房マッサージ練習具１は、全体として女性の胸部のような形状とされている。そして、本実施例では、図２に示すように、乳房部３は、乳房部材５とその内部に設けられたスポンジ６で形成され、乳首部４は、乳首部材７で形成される。
【００１２】
より具体的に説明すると、本実施例の乳房マッサージ練習具１は、台座２と、その台座２の上面左右に配置される一対の乳房部材５，５と、各乳房部材５に設けられる乳首部材７とを主要部として備える。なお、これら各部材は、耐水性の素材から形成されている。本実施例では、乳房部材５や乳首部材７は、柔軟な樹脂により形成されており、台座２は金属製とされている。
【００１３】
本実施例の台座２は、下方に開口した長方形の浅い箱状の台座本体８を備える。この台座本体８の下部開口には、図３に示すように、板状の蓋体９がねじ止めされる（１０，１０…）。台座２内には、水が入れられるタンク１１が固定されている。本実施例のタンク１１は、長方形の箱状とされ、台座２の手前側の左右方向中央部に固定される。その際、図４に示すように、タンク１１の上面１１ａが、台座本体８の上壁８ａに重ね合わされて取り付けられる。
【００１４】
タンク１１の上壁１１ａと、台座本体８の上壁８ａには、互いに対応した位置に貫通穴が形成されている。これにより、タンク１１に水を入れるための開口部１２が、台座２の上面に開口して形成される。この開口部１２には、キャップ１３が着脱可能に設けられる。このキャップ１３は、チェーン１４を介して台座本体８の側壁８ｂに連結されている。
【００１５】
台座２の上面には、女性の乳房程度の大きさだけ突出して、乳房部材５が設けられる。乳房部材５の取り付けのために、図２に示すように、台座本体８の上壁８ａには、大径の丸穴８ｃが左右に離間して２つ形成されている。また、その丸穴８ｃを取り囲むように、台座本体８の上壁８ａ下面には、円筒状突出部８ｄが下方に突出形成されている。この円筒状突出部８ｄには、前記丸穴８ｃと連続的に、前記丸穴８ｃよりも大径の取付穴８ｅが形成されている。
【００１６】
一方、乳房部材５は、下方に開口した略半球状に形成されており、その下部開口の周縁部には、径方向外側に延出してツバ部５ａが一体形成されている。従って、乳房部材５は、そのツバ部５ａを、台座本体８の上壁８ａに形成した取付穴８ｅに配置して、前記丸穴８ｃから略半球状に上方へ突出させた状態で取り付けられる。その際、台座本体８の円筒状突出部８ｄの下端面に、円板状の取付板１５を重ね合わせてねじ止めすることで（１６）、台座２に対し乳房部材５が確実に位置決め保持される。
【００１７】
取付板１５は、台座本体８の円筒状突出部８ｄと同一直径のプラスチック製の円板であり、外周部を円筒状突出部８ｄの下端面に重ね合わされた状態で、円筒状突出部８ｄにねじ止めされる（１６）。この取付板１５には、中央部に一つの穴１５ａと、その周囲に複数の穴１６ｂが貫通形成されている。この周囲に形成した穴１６ｂは、乳房部３を変形させた際に、乳房部３内から空気を逃がすためのものである。
【００１８】
一方、取付板１５の中央に形成された貫通穴１５ａには、柔軟なチューブ１７が通される。このチューブ１７は、基端部をタンク１１に接続されており、先端部を乳首部材７に接続される。すなわち、タンク１１の底面には、外方へ延出して管状部１１ｂが一体形成されており（図４）、その管状部１１ｂにチューブ１７の基端部がはめ込まれて取り付けられる。そして、そのチューブ１７の先端側は、取付板１５の中央貫通穴１５ａを介して、乳房部材５内へ延出しており、接続パイプ１８を介して、乳首部材７の下端部に接続される。
【００１９】
ところで、乳房部材７には、乳房部材５と適合した形状のスポンジ６が入れられる。このスポンジ６には、中央部に上下方向に沿って貫通穴が形成されており、その貫通穴に、チューブ１７先端部や接続パイプ１８や乳首部材７下端部が配置される。
【００２０】
乳首部材７は、ほ乳瓶の口の先端部のような形状に形成された乳首部本体７ａを備え、その乳首部本体７ａの下部には、柔軟なチューブ状部７ｂが下方に延出している。そして、そのチューブ状部７ｂの下端部が、接続パイプ１８の上部に装着される。そして、その接続パイプ１８の下部には、前記タンク１１からのチューブ１７の先端部が装着される。なお、これら接続部からの水漏れ防止を確実にするために、接続部の外周部には、ビニールテープ１９が巻かれる。
【００２１】
乳首部材７の乳首部本体７ａは、上述したように、ほ乳瓶の口の先端部のような形状で、乳房部３に比べやや硬さを出すように、内部がやや詰まった状態に形成されている。また、乳首部材７は、押しつぶしても元の状態に復元する弾力性を有するように形成している。なお、乳首部本体７ａの上端部には、微小穴（切込み）７ｃが形成されており、その微小穴７ｃはチューブ状部７ｂと連通している。
【００２２】
このような乳首部材７は、その上端部が乳房部材５の頂上から略球状に突出して配置されるように、乳首部本体７ａが乳房部材５に取り付けられる。なお、乳首部材７と、それが通される乳房部材５とは、互いに一体的に接着されている。或いは、乳房部材７と乳首部材５とは、一体的に形成されている。
【００２３】
使用に際しては、台座２上面に装着されたキャップ１３を取り外し、タンク１１に水を入れて使用される。水を入れられた練習具１は、乳房マッサージの練習に使用される。例えば、図１に示すように、乳首部４の周囲の乳房部３の先端部を広げながら下方に押し込み、すくい上げて摘むのである。これにより、タンク１１からの水がチューブ１７を介して、乳首部材７の先端部７ｃから外部に放出される。つまり、押しつぶした際にはチューブ１７からの水が、乳首部本体７ａの先端７ｃから外方へ放出される。また、その乳首部４が元の状態に復元する際には、内部が一時的に負圧になることで、チューブ１７からの水が先端側に吸引されて、次回の放出に備えることになる。
【００２４】
このようにして、母乳が水に代わってはいるが、実際のマッサージに比較的近い感じでマッサージの練習を行うことができる。しかも、水の出方によって、適切なマッサージが行われているか否かの確認も容易に行うことができる。よって、乳房マッサージの習得を容易に行うことができる。また、それを教える側にとっても、その教習を容易に行うことができる。
【００２５】
乳房部材５自体の復元力だけでなく、その中に入れたスポンジ６によって、マッサージによる乳房部３の変形は、迅速確実に元の状態に復元される。また、タンク１１から乳首部４にチューブ１７を介して水が直結して供給され、しかも乳首部４の復元時の吸引で自動的に水が乳首部４側へ供給されるので、水の量にかかわらず、安定して使用が可能である。また、タンク１１と乳首部材７とが直結しているので、水漏れが確実に防止される。
【００２６】
ところで、乳房マッサージの練習後、つまり乳房マッサージ練習具１の使用後には、キャップ１３を取り外して、タンク１１内の水を容易に捨てることができる。このように、本実施例の乳房マッサージ練習具１によれば、タンク１１のキャップ１３を取り外すだけで、水の供給、或いは残った水を捨てることができる。しかも、上述したように、練習具１の使用に際しては、部品の着脱などが不要で、タンク１１に水を入れるだけで直ちに使用できるので、取り扱い（使用や管理）が容易で、部品を失う心配もない。
【００２７】
なお、本発明の乳房マッサージ練習具１は、上記実施例の構成に限らず、適宜変更可能である。
例えば、上記実施例では、台座２内にタンク１１を別途設けたが、タンク１１と台座２とを共通化して、台座２自体をタンク１１として使用するように変更することもできる。また、台座２や乳房部材５など、練習具全体の形状を変形させて、より女性の胸に近い形状に形成することが可能である。
【００２８】
【発明の効果】
以上詳述したように、本発明の乳房マッサージ練習具によれば、より簡易な構造で、取り扱いも容易で、よりリアルな練習を可能とする。よって、正しい乳房マッサージを容易に習得することができる。そして、適切な乳房マッサージを習得することで、産後の女性に適切な乳房マッサージを行うことができる。よって、乳腺を開くことができ、またしっかりと母乳を搾ることで母乳の量を増やすことができる。さらに、適切なマッサージを事前に十分に習得できるので、産後の人の負担を抑えてマッサージを行うこともできる。
【図面の簡単な説明】
【図１】本発明の乳房マッサージ練習具の一実施例を示す図であり、使用状態を示す斜視図である。
【図２】図１の乳房マッサージ練習具を示し、図１のＸ線部分における縦断面図である。
【図３】図１の乳房マッサージ練習具の底面図であり、一部を切り欠いて示している。
【図４】図１の乳房マッサージ練習具を示し、図１のＹ−Ｙ線における縦断面図である。
【符号の説明】
１  乳房マッサージ練習具
２  台座
３  乳房部
４  乳首部
５  乳房部材
６  スポンジ
７  乳首部材
８  台座本体
９  蓋体
１１  タンク
１３  キャップ
１５  取付板
１７  チューブ
１８  接続パイプ
【図１】
2004191788.tif 000003
【図２】
2004191788.tif 000004
【図３】
2004191788.tif 000005
【図４】
2004191788.tif 000006